(57)【要約】      （修正有）【課題】押出成型後における追加加工を抑制でき、製造を簡易化することができる、照明器具を提供する。【解決手段】照明器具１００は、光を発光する光源部材３と、押出成型によって形成された構成であり、照射面側に光源部材３が取り付けられたヒートシンク４と、光源部材３を覆うカバー部材７と、ヒートシンク４に取り付けられ、カバー部材７を保持する固定部材８と、を有している。ヒートシンク４には、固定部材８を取り付けるための締結部材８３を挿入する締結部４４が押出成型により押出方向に沿って形成されている。【選択図】図３
2020187880.tif 000002
【特許請求の範囲】
【請求項１】
光を発光する光源部材と、
押出成型によって形成された構成であり、照射面側に前記光源部材が取り付けられたヒートシンクと、
前記光源部材を覆うカバー部材と、
前記ヒートシンクに取り付けられ、前記カバー部材を保持する固定部材と、を有し、
前記ヒートシンクには、前記固定部材を取り付けるための締結部材を挿入する締結部が前記押出成型により押出方向に沿って形成されている照明器具。
【請求項２】
前記光源部材に電力を供給する電源ユニットを更に備え、
前記ヒートシンクには、前記電源ユニットを取り付けるための係合部が、前記押出成型により押出方向に沿って形成されており、
前記係合部には、係合した前記電源ユニットを固定させる押え部材を取り付けるための接合部材を挿入する接合部が、前記押出成型により押出方向に沿って形成されている請求項１に記載の照明器具。
【請求項３】
前記固定部材は、
前記ヒートシンクの押出方向に沿って延び、前記カバー部材を前記ヒートシンクと共に挟み付けて保持する保持部と、
前記締結部材によって前記締結部に固定される固定部と、を有している請求項１又は２に記載の照明器具。
【請求項４】
被取付部に取り付けられるアーム部材を更に備え、
前記固定部材は、前記アーム部材を前記ヒートシンクに回動自在に取り付けるアーム固定部を有している請求項１〜３のいずれか一項に記載の照明器具。
【発明の詳細な説明】
【技術分野】
【０００１】
本発明は、天井等の被取付部に取り付けられる照明器具に関するものである。
【背景技術】
【０００２】
従来、照明器具は、光を発光する光源ユニットと、光源ユニットからの発熱を放熱させるヒートシンクと、を備えた構成が知られている。例えば特許文献１に開示された照明装置は、電源ケースと、ＬＥＤと、電源基板と、透光カバーと、アームと、を備えた構成である。電源ケースは、電源基板を収納する収納部と、ＬＥＤ及び透光カバーが下面に取り付けられた載置部と、を有している。この電源ケースは、収納部と載置部とを金属材による押出成型によって一体に成型している。収納部は、押出方向に向かって中空な筒状とされ、載置部の上面に形成されている。収納部の壁面には、接続端子を取り付けるための開口部が形成されている。載置部の上面には、ヒートシンクとして複数の板状のフィンが上方向に突出するように設けられている。載置部には、透光カバーを取り付けるため接合部材を通す穴が複数形成されている。
【先行技術文献】
【特許文献】
【０００３】
【特許文献１】特開２０１８−１４２３２号公報
【発明の概要】
【発明が解決しようとする課題】
【０００４】
特許文献１に開示された照明装置では、押出成型によって電源ケースを成型した後に、透明カバーを取り付けるための接合部材を通す穴等を形成する必要がある。これは、押出成型の押出方向とは、異なる方向からの加工によって形成されるためである。そのため、この照明装置では、押出成型後に追加加工を行う必要があり、製造が複雑になるおそれがある。
【０００５】
本発明は、上記のような課題を解決するためになされたもので、押出成型後における追加加工を抑制でき、製造を簡易化することができる、照明器具を提供することを目的とする。
【課題を解決するための手段】
【０００６】
本発明に係る照明器具は、光を発光する光源部材と、押出成型によって形成された構成であり、照射面側に前記光源部材が取り付けられたヒートシンクと、前記光源部材を覆うカバー部材と、前記ヒートシンクに取り付けられ、前記カバー部材を保持する固定部材と、を有し、前記ヒートシンクには、前記固定部材を取り付けるための締結部材を挿入する締結部が前記押出成型により押出方向に沿って形成されているものである。
【発明の効果】
【０００７】
本発明の照明器具によれば、ヒートシンクには、カバー部材を保持する固定部材を取り付けるための締結部材を挿入する締結部が押出成型により押出方向に沿って形成されている。よって、ヒートシンクの押出成型後に、締結部材を通す穴をヒートシンクに形成する必要がないので、追加加工を抑制でき、製造を簡易化することができる。
【図面の簡単な説明】
【０００８】
【図１】本発明の実施の形態に係る照明器具を示した斜視図である。
【図２】本発明の実施の形態に係る照明器具であって、上方側から見た状態を示した分解斜視図である。
【図３】本発明の実施の形態に係る照明器具であって、下方側から見た状態を示した分解斜視図である。
【図４】本発明の実施の形態に係る照明器具のヒートシンクを示した斜視図である。
【図５】本発明の実施の形態に係る照明器具のヒートシンクを示した正面図である。
【図６】本発明の実施の形態に係る照明器具の固定部材を示した正面図である。
【図７】本発明の実施の形態に係る照明器具の押え部材を示した正面図である。
【図８】本発明の実施の形態に係る照明器具のカバー部材をヒートシンクに取り付ける工程を示した説明図である。
【図９】本発明の実施の形態に係る照明器具のカバー部材をヒートシンクに取り付ける工程を示した説明図である。
【図１０】本発明の実施の形態に係る照明器具のカバー部材をヒートシンクに取り付ける工程を示した説明図である。
【図１１】本発明の実施の形態に係る照明器具のカバー部材をヒートシンクに取り付ける工程を示した説明図である。
【図１２】本発明の実施の形態に係る照明器具の電源ユニットをヒートシンクに取り付ける工程を示した説明図である。
【図１３】本発明の実施の形態に係る照明器具の電源ユニットをヒートシンクに取り付ける工程を示した説明図である。
【図１４】本発明の実施の形態に係る照明器具の電源ユニットをヒートシンクに取り付ける工程を示した説明図である。
【発明を実施するための形態】
【０００９】
以下、図面を参照して、本発明の実施の形態について説明する。なお、各図中、同一又は相当する部分には、同一符号を付して、その説明を適宜省略又は簡略化する。また、各図に記載の構成について、その形状、大きさ、及び配置等は、本発明の範囲内で適宜変更することができる。
【００１０】
実施の形態．
図１は、本発明の実施の形態に係る照明器具を示した斜視図である。図２は、本発明の実施の形態に係る照明器具であって、上方側から見た状態を示した分解斜視図である。図３は、本発明の実施の形態に係る照明器具であって、下方側から見た状態を示した分解斜視図である。図４は、本発明の実施の形態に係る照明器具のヒートシンクを示した斜視図である。図５は、本発明の実施の形態に係る照明器具のヒートシンクを示した正面図である。図６は、本発明の実施の形態に係る照明器具の固定部材を示した正面図である。図７は、本発明の実施の形態に係る照明器具の押え部材を示した正面図である。
【００１１】
本実施の形態に係る照明器具１００は、図１〜図３に示すように、天井等の被取付部に取り付けられるアーム部材１と、アーム部材１に保持される光源ユニット２と、を備えている。光源ユニット２は、光を発光する光源部材３と、直方体形状のヒートシンク４と、光源部材３に電力を供給する電源ユニット５と、電源ユニット５を位置決めするスペーサー６と、光源部材３を覆うカバー部材７と、ヒートシンク４に取り付けられる固定部材８と、電源ユニット５を固定する押え部材９と、を有している。
【００１２】
アーム部材１は、図１〜図３に示すように、照明器具１００を天井等の被取付部に取り付けための取付部材である。アーム部材１は、逆Ｕ字形状である。アーム部材１の両端部には、軸孔１０と弧状孔１１とが上下に並べて形成されている。アーム部材１は、軸孔１０に通したボルト１０ａ及び弧状孔１１に通したボルト１１ａによって両端部が固定部材８に取り付けられ、固定部材８を介してヒートシンク４の側面に回動自在に取り付けられている。
【００１３】
光源部材３は、図２及び図３に示すように、基板３０に複数の発光素子３１が実装された構成である。光源部材３は、ヒートシンク４の下面に接着等で取り付けられ、電源ユニット５から電力の供給を受けて発光素子３１を発光させるものである。
【００１４】
ヒートシンク４は、図１〜図５に示すように、光源部材３の発熱を放熱させるものである。ヒートシンク４は、例えばアルミ材等の放熱性の良い材料が用いられており、押出成型で略直方体形状に形成された構成である。ヒートシンク４は、照射面側である下面に光源部材３が取り付けられるベース部４０と、ベース部４０の上面から上方に向かって立ち上がるフィン４２と、フィン４２の上面を覆う庇部４１と、を有している。ベース部４０は、ヒートシンク４の下部を形成している。庇部４１は、ヒートシンク４の上部を形成している。ヒートシンク４は、アーム部材１が取り付けられる両側面が開口しており、該両側面に取り付けられる固定部材８との干渉を防ぐ構造となっている。
【００１５】
ベース部４０には、固定部材８を取り付けるための締結部材８３を挿入する締結部４４が押出成型により押出方向（Ｘ方向）に沿って形成されている。締結部材８３は、例えばネジ等である。締結部４４は、一例として、アーム部材１が取り付けられるベース部４０の両縁辺に形成されている。なお、締結部４４は、ネジ等の締結部材８３を差し込んで固定できる構成であればよく、例えばベース部４０の押出方向（Ｘ方向）の両端面に切り欠き等を形成した構成でもよい。
【００１６】
フィン４２は、下端面がベース部４０に一体的に接続され、ベース部４０の上面から上方に立ち上がる複数の板部４２ａを、一定の間隔をあけて並列させて設けた構成である。板部４２ａは、上端面が庇部４１に一体的に接続されている。板部４２ａは、ベース部４０及び庇部４１に対して直交させて設けられているが、当該直交に限定されず、ベース部４０及び庇部４１と交差する角度であればよい。なお、図示することは省略したが、フィン４２は、一部の板部４２ａの上端面のみが、庇部４１に一体的に接続された構成でもよい。
【００１７】
ヒートシンク４は、フィン４２とベース部４０及び庇部４１とが、一体的に接続されているので、ベース部４０から伝熱される光源部材３の発熱を、フィン４２から庇部４１へと伝熱させて、フィン４２と庇部４１とで放熱することができる。そのため、本実施の形態におけるヒートシンク４は、例えばフィン４２を構成する板部４２ａの枚数を少なくして軽量化を図ることができ、且つ伝熱面積が大きく放熱効率も高めることもできる。
【００１８】
庇部４１には、中央部分において、一端縁側から他端縁側まで延びる開口部４１ａが形成されている。開口部４１ａには、長手方向（Ｘ方向）の両側の開口縁に沿って、ベース部４０側に凹んだ段差部が形成されている。段差部には、電源ユニット５が着脱自在に取り付けられる係合部４３が設けられている。係合部４３は、外向きに屈曲させた１対のＬ字の爪部４３ａであり、段差部の長手方向（Ｘ方向）に沿ってレール状に形成されている。また、図２〜図５に示すように、係合部４３の押出方向（Ｘ方向）の両端部には、ネジ等の接合部材９２を挿入して押え部材９を固定するための接合部４３ｂが形成されている。接合部４３ｂは、一例として係合部４３の長手方向に沿って形成されたネジ孔である。なお、接合部４３ｂは、ネジ等の接合部材９２を挿入して固定できる構成であればよく、例えば係合部４３の両端面に切り欠き等を形成した構成でもよい。
【００１９】
電源ユニット５は、光源部材３に電力を供給するものである。電源ユニット５は、図１〜図３に示すように、筒状で直方体形状の電源ケース５０と、電源ケース５０の内側に設けられた点灯回路部（図示なし）と、電源ケース５０の両端の開口を塞ぐ端板５１と、を備えている。電源ケース５０の下面には、ヒートシンク４に形成された係合部４３に係合する電源脚部５３が設けられている。電源脚部５３は、内向きに屈曲させた１対のＬ字の爪部５３ａであり、電源ケース５０の長手方向に沿ってレール状に形成されている。端板５１は、例えば板金で形成されており、パッキンを挟んで電源ケース５０の開口面に取り付けられている。２つの端板５１のうち、一方の端板５１には、点灯回路部に接続される電源電線を電源ケース５０の内部に通すための開口が形成されており、該開口部分に電源電線を保持するソケット５２が設けられている。
【００２０】
電源ユニット５は、係合部４３の一端側から電源脚部５３が差し込まれ、他端側に向かってスライドさせることで、ヒートシンク４に取り付けることができる。照明器具１００は、電源ユニット５をヒートシンク４と一体になるように取り付けることで、電源ユニット５の発熱をヒートシンク４に伝熱することができるので、電源ユニット５の温度上昇を抑制することができる。なお、係合部４３の向きと、電源脚部５３の爪部５３ａの向きは、逆でもよい。また、電源脚部５３は、スライドさせて係合部４３と係合する構成に限定されず、弾性変形を利用して押し込むように係合する構成でもよい。
【００２１】
スペーサー６は、図１〜図３に示すように、庇部４１の係合部４３に差し込まれて、ヒートシンク４に取り付けられた電源ユニット５を位置決めして固定するために設けられている。スペーサー６は、平板状であり、ヒートシンク４に形成された係合部４３に係合するスペーサー脚部６０を有している。スペーサー脚部６０は、電源脚部５３と同一形状であり、例えば平板の対向する両側縁から下方に向かって突き出し、内向きに屈曲させた１対のＬ字の爪部６０ａで構成されている。
【００２２】
スペーサー６は、係合部４３の一端側からスペーサー脚部６０が差し込まれ、先に差し込んだ電源ユニット５に突き当たるまでスライドさせることで、ヒートシンク４に取り付けられる。スペーサー６は、電源ユニット５と組み合わせた場合に、開口部４１ａの長手方向の長さと略一致する長さとなるように形成されている。このように、スペーサー６を設けることによって、電源ユニット５の電源ケース５０を点灯回路部の形状に合わせた大きさにすることができるので、製造コストを削減することもできる。
【００２３】
なお、スペーサー６は、庇部４１の係合部４３に取り付けられた状態で、上面が庇部４１の上面と略面一となるように形成されているが、形状はこの限りではない。また、係合部４３の向きと、スペーサー脚部６０の爪部６０ａの向きは、逆でもよい。また、スペーサー脚部６０は、スライドさせて係合部４３と係合する構成に限定されず、弾性変形を利用して押し込むように係合する構成でもよい。
【００２４】
また、図示したスペーサー６は、電源ユニット５の長手方向の一端側にのみ設けた構成を示しているが、電源ユニット５の長手方向の両端に設けてもよい。なお、電源ユニット５の長さが開口部４１ａの長手方向の長さと一致する場合には、スペーサー６を設けなくてもよい。また、電源ユニット５が必要ない場合には、スペーサー６を庇部４１の開口部４１ａの長さと同じ長さとし、スペーサー６で当該開口部４１ａを塞ぐ構成とする。
【００２５】
カバー部材７は、光源部材３と対向する側に開口を有する箱形であり、ヒートシンク４のベース部４０に取り付けられた光源部材３を覆って保護するものである。カバー部材７は、例えば透過性のある樹脂材料で形成されている。カバー部材７には、開口縁に沿って外方に突き出すフランジ部７０が設けられている。カバー部材７は、フランジ部７０をヒートシンク４のベース部４０の下面に当接させ、固定部材８を介してヒートシンク４に取り付けられている。
【００２６】
なお、図示することは省略したが、カバー部材７は、内側にレンズユニット又はリフレクタを設けた構成としてよい。カバー部材７の内側にレンズユニットを設ける場合には、光源部材３をレンズユニットと一体化した後に、カバー部材７をヒートシンク４に取り付けるとよい。これにより、発光素子３１とレンズユニットとの位置ずれを抑制でき、組立作業を容易に行うことができる。
【００２７】
固定部材８は、図１〜図３に示すように、アーム部材１が取り付けられるヒートシンク４の両側面に設けられる。固定部材８は、金属板を曲げて形成された構成であり、ヒートシンク４を側面方向から見て倒立Ｔ字状とされている。金属板は、例えばアルミ材よりも強度がある材料であることが好ましい。固定部材８をヒートシンク４の補強部材として機能させるためである。固定部材８は、カバー部材７を保持するカバー固定部８０と、アーム部材１をヒートシンク４に回動自在に取り付けるアーム固定部８１と、を有している。
【００２８】
カバー固定部８０は、図６に示すように、ヒートシンク４の押出方向に沿って延びる平板部８０ａと、平板部８０ａの下端縁からカバー部材７に向かって突き出し、ヒートシンク４の押出方向に沿って延びる保持部８０ｂと、保持部８０ｂの両端部から延伸させた部分をヒートシンク４に向かって約９０度屈曲させた固定部８０ｃと、を有している。固定部８０ｃには、ネジ等の締結部材８３の軸部を通す締結孔８０ｄが形成されている。固定部材８は、締結孔８０ｄに通した締結部材８３をヒートシンク４の締結部４４にネジ込むことによって、ヒートシンク４に取り付けられる。カバー固定部８０は、保持部８０ｂと、ヒートシンク４の下面とで、カバー部材７のフランジ部７０を挟み付けて、カバー部材７が落下しないように保持する構成である。そのため、本実施の形態に係る照明器具１００では、例えばヒートシンク４にカバー部材７を引っ掛ける形状を設ける必要がないので、構造を簡易化することができる。また、ネジ等の締結部材を用いて樹脂部材であるカバー部材７をヒートシンク４に固定する構成でもないので、ネジ等の締結よる負荷によってカバー部材７が割れたり、破損したりするおそれもない。
【００２９】
なお、照明器具１００は、カバー部材７のフランジ部７０の上面を覆うＬ字状の部材を追加してもよい。当該部材を追加することで、カバー部材７の固定を強固にすることができる。Ｌ字状の部材は、断面Ｌ字形状がＹ方向に沿って形成され、Ｙ方向両端に穴が形成され、締結部４４に固定される。
【００３０】
アーム固定部８１は、図１〜図３及び図６に示すように、平板部８０ａの上端縁の中央部分から上方に向かって突き出す本体部８１ａと、本体部８１ａの上端縁からヒートシンク４に向かって約９０度屈曲させた屈曲部８１ｂと、を有している。アーム固定部８１は、アーム部材１が取り付けられるヒートシンク４の両側面の開口を塞がないようにするために、平板部８０ａの上端縁の中央部分に設けている。これは、ヒートシンク４の放熱への影響と、器具の軽量化を考慮したものである。
【００３１】
本体部８１ａには、ボルト１０ａの軸部を通す貫通孔８１ｃと、ボルト１１ａの軸部を通す貫通孔８１ｄが形成されている。また、本体部８１ａの内面側には、ボルト１０ａ及びボルト１１ａを締め付けるナット８２が取り付けられている。アーム部材１は、軸孔１０に通したボルト１０ａの軸部を、アーム固定部８１の貫通孔８１ｃに通してナット８２で締め付けると共に、弧状孔１１に通したボルト１１ａの軸部を、アーム固定部８１は貫通孔８１ｄに通してナット８２で締め付けることにより、ヒートシンク４に回動自在に取り付けられている。屈曲部８１ｂは、上面が庇部４１の下面に当接するように設けられている。なお、庇部４１に屈曲部８１ｂが嵌り込むような溝を設けて、屈曲部８１ｂの移動を規制する構成としてもよい。この溝は、Ｘ方向に亘って形成されている。
【００３２】
押え部材９は、ヒートシンク４の係合部４３に係合した電源ユニット５及びスペーサー６を固定するためのものである。押え部材９は、図１〜図３及び図７に示すように、金属板を曲げて略Ｕ字状に形成された構成である。押え部材９は、ヒートシンク４の押出方向と直交する方向（Ｙ方向）に延びる平板状の押え本体部９０と、押え本体部９０の両端部からヒートシンク４に向かって約９０度屈曲させた押え屈曲部９１と、を有している。押え本体部９０には、接合部材９２の軸部を通す貫通孔９０ａが形成されている。
【００３３】
次に、図８〜図１１に基づいて、カバー部材７をヒートシンク４に取り付ける手順を説明する。図８〜図１１は、本発明の実施の形態に係る照明器具のカバー部材をヒートシンクに取り付ける工程を示した説明図である。
【００３４】
先ず、図８に示すように、ベース部４０が上面となるようにヒートシンク４を配置し、ベース部４０の上面に、光源部材３と該光源部材３を覆うカバー部材７を配置する。そして、接着等を用いて光源部材３をベース部４０の上面に固定する。次に、図９に示すように、カバー部材７のフランジ部７０をベース部４０の上面に当接させ、光源部材３を囲うようにベース部４０の上面にカバー部材７を載置させる。そして、アーム部材１が取り付けられるヒートシンク４の両側面に１対の固定部材８を対向させて配置する。
【００３５】
次に、図１０に示すように、ヒートシンク４の開口を有する側面に固定部材８を取り付ける。固定部材８は、ヒートシンク４の開口に対向する方向（Ｙ方向）から嵌め込まれて取り付けられる。このとき、カバー固定部８０の保持部８０ｂとヒートシンク４の下面とで、カバー部材７のフランジ部７０を挟み付ける。また、カバー固定部８０の固定部８０ｃに形成された締結孔８０ｄと、ヒートシンク４に設けられた締結部４４との位置を合わせる。また、アーム固定部８１の屈曲部８１ｂの上面を、庇部４１の下面に当接させる。そして、位置を合わせた締結孔８０ｄと締結部４４に、ボルト等の締結部材８３を配置する。
【００３６】
次に、図１１に示すように、締結孔８０ｄに通した締結部材８３をヒートシンク４の締結部４４にネジ込んで、固定部材８をヒートシンク４に固定する。カバー部材７は、カバー固定部８０の保持部８０ｂとヒートシンク４の下面とで、フランジ部７０が挟み付けら、更にカバー固定部８０の平板部８０ａ及び固定部８０ｃで、フランジ部７０の水平方向の移動が拘束されることで、落下しないように保持される。
【００３７】
次に、図１２〜図１４に基づいて、電源ユニット５をヒートシンク４に取り付ける手順を説明する。図１２〜図１４は、本発明の実施の形態に係る照明器具の電源ユニットをヒートシンクに取り付ける工程を示した説明図である。
【００３８】
先ず、図１２に示すように、ヒートシンク４の庇部４１の上面に、電源ユニット５及びスペーサー６を配置する。次に、電源ユニット５の電源脚部５３を係合部４３の一端側から差し込み、他端側に向かってスライドさせて、図１３に示すように、電源ユニット５をヒートシンク４に取り付ける。そして、スペーサー６のスペーサー脚部６０を係合部４３の一端側から差し込み、先に差し込んだ電源ユニット５に突き当たるまでスペーサー６をスライドさせて、ヒートシンク４に取り付ける。そして、１対の押え部材９を各係合部４３に対向させて配置する。次に、押え部材９の押え屈曲部９１を係合部４３に嵌め込み、図１４に示すように、押え本体部９０を係合部４３の端面に当接させる。係合部４３の他面、スペーサー６の端面及び電源脚部５３の端面は、押え本体部９０によって覆われる。そして、押え本体部９０の貫通孔９０ａに通した接合部材９２の軸部を、係合部４３の接合部４３ｂにネジ込んで締結し、押え部材９をヒートシンク４に固定する。
【００３９】
なお、固定部材８は、カバー固定部８０とアーム固定部８１を押出方向（Ｘ方向）からヒートシンク４に挿し込むような仕様でも良い。このとき、固定部材８とヒートシンク４は、互いに嵌合し合うような形状を有しており、カバー固定部８０及びアーム固定部８１を、ヒートシンク４の締結部４４に締結部材８３が締結されて、押出方向（Ｘ方向）への移動が規制される。
【００４０】
以上のように、本実施の形態に係る照明器具１００は、光を発光する光源部材３と、押出成型によって形成された構成であり、照射面側に光源部材３が取り付けられたヒートシンク４と、光源部材３を覆うカバー部材７と、ヒートシンク４に取り付けられ、カバー部材７を保持する固定部材８と、を有している。ヒートシンク４には、固定部材８を取り付けるための締結部材８３を挿入する締結部４４が押出成型により押出方向に沿って形成されている。よって、本実施の形態に係る照明器具１００は、ヒートシンク４の押出成型後に、締結部材８３を通す穴をヒートシンク４に形成する必要がないので、追加加工を抑制でき、製造を簡易化することができる。
【００４１】
また、本実施の形態に係る照明器具１００は、光源部材３に電力を供給する電源ユニット５を更に備えている。ヒートシンク４には、電源ユニット５を取り付けるための係合部４３が、押出成型により押出方向に沿って形成されている。また、係合部４３には、係合した電源ユニット５を固定させる押え部材９を取り付けるための接合部材９２を挿入する接合部４３ｂが、押出成型により押出方向に沿って形成されている。よって、本実施の形態に係る照明器具１００は、ヒートシンク４の押出成型後に、電源ユニット５を取り付けるために必要な加工を減らすことができるので、追加加工を抑制でき、製造を簡易化することができる。
【００４２】
また、固定部材８は、ヒートシンク４の押出方向に沿って延び、カバー部材７をヒートシンク４と共に挟み付けて保持する保持部８０ｂと、締結部材８３によって締結部４４に固定される固定部８０ｃと、を有している。よって、本実施の形態に係る照明器具１００は、ヒートシンク４に取り付けるための加工をカバー部材７に行う必要がないので、製造を簡易化することができる。
【００４３】
また、本実施の形態に係る照明器具１００は、被取付部に取り付けられるアーム部材１を更に備えている。固定部材８は、アーム部材１をヒートシンク４に回動自在に取り付けるアーム固定部８１を有している。よって、本実施の形態に係る照明器具１００は、固定部材８でカバー部材７と共にアーム部材１を取り付けることができるので、アーム部材１を取り付けるための専用の部材を省略でき、軽量化及び製造の簡易化を図ることができる。
【００４４】
以上に本発明を実施の形態に基づいて説明したが、本発明は上述した実施の形態の構成に限定されるものではない。例えば、照明器具１００は、天井以外の被取付部に取り付けてもよい。また、図示した照明器具１００は、一例であって、他の構成要素を含んでもよい。要するに、本発明は、その技術的思想を逸脱しない範囲において、当業者が通常に行う設計変更及び応用のバリエーションの範囲を含むものである。
【符号の説明】
【００４５】
１  アーム部材、２  光源ユニット、３  光源部材、４  ヒートシンク、５  電源ユニット、６  スペーサー、７  カバー部材、８  固定部材、９  押え部材、１０  軸孔、１１  弧状孔、１０ａ、１１ａ  ボルト、３０  基板、３１  発光素子、４０  ベース部、４１  庇部、４１ａ  開口部、４２  フィン、４２ａ  板部、４３  係合部、４３ａ  爪部、４３ｂ  接合部、４４  締結部、５０  電源ケース、５１  端板、５２  ソケット、５３  電源脚部、５３ａ  爪部、６０  スペーサー脚部、６０ａ  爪部、７０  フランジ部、８０  カバー固定部、８０ａ  平板部、８０ｂ  保持部、８０ｃ  固定部、８０ｄ  締結孔、８１  アーム固定部、８１ａ  本体部、８１ｂ  屈曲部、８１ｃ、８１ｄ  貫通孔、８２  ナット、８３  締結部材、９０  押え本体部、９０ａ  貫通孔、９１  押え屈曲部、９２  接合部材、１００  照明装置。
【図１】
2020187880.tif 000003
【図２】
2020187880.tif 000004
【図３】
2020187880.tif 000005
【図４】
2020187880.tif 000006
【図５】
2020187880.tif 000007
【図６】
2020187880.tif 000008
【図７】
2020187880.tif 000009
【図８】
2020187880.tif 000010
【図９】
2020187880.tif 000011
【図１０】
2020187880.tif 000012
【図１１】
2020187880.tif 000013
【図１２】
2020187880.tif 000014
【図１３】
2020187880.tif 000015
【図１４】
2020187880.tif 000016